(57)【特許請求の範囲】
【請求項１】
ポンプ本体の真空ポンプと放水口自動逆止弁から放水コックにいたる放水導管とが吸引管で連通されていることを特徴とする消防用ポンプ。
【請求項２】
ポンプ本体の真空ポンプと放水口自動逆止弁の弁棒摺動用中空部とが吸引管で連通され、該中空部を摺動する弁棒の基部に止水用パッキンが設けられていることを特徴とする消防用ポンプ。
【発明の詳細な説明】
【０００１】
【発明の属する技術分野】
本発明は、河川、防火水槽等から吸水する消防ポンプ自動車等に使用される消防用ポンプに関するものである。
【０００２】
【従来の技術】
従来の消防用ポンプは、ポンプ本体の真空ポンプが吸水導管側にのみ吸引管で連通され、この吸引管の途中にフロースイッチ、逆止弁、止水弁が設けられている。
【０００３】
【発明が解決しようとする課題】
消防ポンプ自動車による放水には、その水利として河川、防火水槽等から吸水による場合が多いが、この場合、水面よりポンプまでの吸水には消防ポンプ自動車に装備された真空ポンプにより主ポンプ及び吸水導管内の空気を排出することにより行っている。
この場合、放水口自動逆止弁が主ポンプと放水口自動逆止弁側との境界を閉塞し、主ポンプ及び吸水導管内は真空となり吸水が行われる。
【０００４】
一方、この放水口自動逆止弁の作用により、逆止弁から放水口コックにいたる放水導管内の空気は排除されないで残留した状態となる。
このため、ホースの延長が完了し、放水コックを開き放水を行った時、この排出されなかった残留空気が主ポンプに逆流し、場合によっては落水にいたり、放水不能となり消火活動に遅れを生じることがある。
又、例え放水されても、最初の放水は残留空気と水が混じり、放水が不安定となる問題点も有していた。
【０００５】
上記点より本発明は、放水口自動逆止弁から放水コックにいたる放水導管内の残留空気を排出し、放水不能になる事態を防止し、確実に放水を行うことができる消防用ポンプを提供しようとするものである。
【０００６】
【課題を解決するための手段】
上記課題を解決するため本発明消防用ポンプは、ポンプ本体の真空ポンプと放水口自動逆止弁から放水コックにいたる放水導管とが吸引管で連通されていることを特徴とするものである。
又、本発明消防用ポンプは、ポンプ本体の真空ポンプと放水口自動逆止弁の弁棒摺動用中空部とが吸引管で連通され、該中空部を摺動する弁棒の基部に止水用パッキンが設けられていることを特徴とするものである。
【０００７】
上記構成を有する本発明は、ポンプ本体の真空ポンプと放水口自動逆止弁から放水コックにいたる放水導管内とが吸引管で連通されているため、放水導管内の残留空気は排出され、放水導管内は真空状態となる。
又、吸引管を弁棒摺動用中空部に連通すれば、止水のために止水用パッキンを弁棒の基部に設けるだけでよく、改めて吸引管にフロースイッチ、逆止弁、止水弁を設ける必要がないので構造も簡単になる。
【０００８】
すなわち、放水自動逆止弁の弁棒の基部に止水用パッキンが設けられているため、放水時に弁体が上昇し、弁棒の基部の止水用パッキンが弁棒摺動用中空部の端部に当接し、弁棒摺動用中空部の内側口端縁と弁棒の外周面との間隙を閉塞するからこの弁棒摺動用中空部に水が浸入することはない。
【０００９】
【発明の実施の形態】
以下、本発明の一実施の形態を図面に基づき説明する。
図１は請求項１の本発明消防用ポンプの一実施の形態を示す断面図、図２は請求項２の本発明消防用ポンプの一実施の形態を示す断面図、図３は同上の部分拡大断面図である。
【００１０】
而して、図１に於いて、図中１はポンプ本体、２はポンプ本体１及びポンプ本体１の真空ポンプ３を駆動するポンプ本体の駆動部である。
ポンプ本体１の主ポンプ部４に吸水側は吸水コック５を設けた吸水導管６が連結し、放水側は主ポンプ部４に放水口自動逆止弁７が連結している。
又、放水口自動逆止弁７に放水コック８が連結し、この放水口自動逆止弁７から放水コック８にいたり放水導管９を構成している。
【００１１】
１０は真空ポンプ３の吸気口３Ａと吸水導管６の間に連通されている吸引管であり、この吸引管１０の途中にフロースイッチ１１、逆止弁１２、止水弁１３が夫々設けられている。
前記、放水口自動逆止弁７は弁筐１４の上部に弁１５の弁棒１６が摺動する弁棒摺動用中空部１７を有する蓋体１８が設けられている。
１９は真空ポンプ３とフロースイッチ１１間の吸引管１０の途中で三方バルブ２０で分岐され、放水口自動逆止弁７から放水コック８にいたる放水導管９に連結した吸引管であり、この吸引管１９の途中にフロースイッチ２１、逆止弁２２、止水弁２３が夫々設けられている。
【００１２】
次に、図２に於いて、図１と相当する箇所にはそれと同一符号を付してある。図２は吸引管２４が真空ポンプ３とフロースイッチ１１間の吸引管１０の途中で三方バルブ２０で分岐され、放水口自動逆止弁７の弁棒摺動用中空部１７の頂部に連結している。
そして、弁棒摺動用中空部１７の頂部に孔１７Ａが穿設され、これにより放水口自動逆止弁７から放水コック８にいたる放水導管９の空気は孔１７Ａを通り吸引管２４より排出される。
尚、図中２５は弁棒１６の基部に設けたリング状の止水用パッキンであり、弁１５の上昇で弁棒摺動用中空部１７の内側口端縁と弁棒１６の外周面との間隙を閉塞する。
【００１３】
次に、本発明消防用ポンプの作用を説明する。
請求項１は真空ポンプ３の始動で真空ポンプ３と吸引管１０で連通している吸水導管６側からは従来通り、吸水導管６及び主ポンプ部４内の空気は吸引され真空となる。この時、弁１５により放水導管９側への水路は閉塞されている。
【００１４】
一方、真空ポンプ３の始動で真空ポンプ３と吸引管１９で連通している放水口自動逆止弁７から放水コック８にいたる放水導管９内の残留空気は吸引され真空となる。この時、放水コック８は閉じている。
このように、ポンプ本体１が総て真空状態となり、吸水コック５を経て吸水導管６、主ポンプ部４に水は充満し、弁１５を押し上げ、放水導管９内を通り放水コック８にいたる。
又、吸水導管６に連結している吸引管１９内にも水は入るが、途中で止水弁２３を設けてあるため、それ以上水が通らない。
よって、放水コック８を開けば残留空気がないので、直ちに水が放出される。
【００１５】
又、請求項２は真空ポンプの始動で吸引管１０で連通している吸水導管６側からは前同様に吸水導管６及び主ポンプ部４内の空気は吸引され真空となる。
一方、真空ポンプと吸引管２４で連通している弁棒摺動用中空部１７の孔１７Ａより、放水口自動逆止弁７から放水コック８にいたる放水導管９内の残留空気は吸引され真空となる。
【００１６】
又、放水口自動逆止弁７の弁棒摺動用中空部１７と連結している吸引管２４内には、弁棒１６の基部に設けた止水用パッキン２５が弁１５の上昇時に弁棒摺動用中空部１７の口端縁に当接して、弁棒摺動用中空部１７の内側口端縁と弁棒１６の外周面との間隙を閉塞するため水は浸入しない。
【００１７】
【発明の効果】
本発明によれば、ポンプ本体の真空ポンプと放水口自動逆止弁から放水コックにいたる放水導管内とが吸引管で連通されているため、放水導管内の残留空気は排出され真空状態となり、又ポンプ本体の真空ポンプと放水口自動逆止弁の弁棒摺動用中空部とを吸引管で連通すれば、放水口自動逆止弁から放水コックにいたる放水導管内の残留空気は弁棒摺動用中空部から排出され、放水導管内は真空状態となり、吸水コックを開ければ水は放水コックまで充満されるから、放水始めに逆流することもなく、又放水が不安定となることもなく、確実な放水が可能となる。
【００１８】
又、吸引管を弁棒摺動用中空部に連通した場合は、放水時は弁棒の基部の止水用パッキンが弁棒摺動用中空部の端部に当接し、弁棒摺動用中空部の内側口端縁と弁棒の外周面との間隙を閉塞するから、弁棒中空部に水が浸入することはない。
又、吸引管を弁棒摺動用中空部に連通した場合は、止水のために止水用パッキンを弁棒の基部に設けるだけでよく、改めて吸引管にフロースイッチ、逆止弁、止水弁を設ける必要がないので構造も簡単でコストも安価となる。
【図面の簡単な説明】
【図１】請求項１の本発明消防用ポンプの一実施の形態を示す断面図である。
【図２】請求項２の本発明消防用ポンプの一実施の形態を示す断面図である。
【図３】本発明消防用ポンプの一実施の形態を示す部分拡大断面図である。
【符号の説明】
１    ポンプ本体
２    駆動部
３    真空ポンプ
３Ａ  吸気口
４    主ポンプ
５    吸水コック
６    吸水導管
７    放水口自動逆止弁
８    放水コック
９    放水導管
１０  吸引管
１１  フロースイッチ
１２  逆止弁
１３  止水弁
１４  弁筐
１５  弁
１６  弁棒
１７  弁棒摺動用中空部
１７Ａ  孔
１８  蓋体
１９  吸引管
２０  三方バルブ
２１  フロースイッチ
２２  逆止弁
２３  止水弁
２４  吸引管
２５  止水用パッキン
【図１】
0003586392.tif 000002
【図２】
0003586392.tif 000003
【図３】
0003586392.tif 000004